(57)【要約】【課題】コード付電子機器の提供。【解決手段】電子機器のコード取り出し部に０．１Ｄ以上の凹みを作り、凹みに曲げＲ≧０．１Ｄで丸みを持たせ、かつコードの易曲げ性が３以上の柔軟なケーブルを使うことによって得られるコンパクトなコード付電子機器であり、コードを簡単に収納できコードの収納スペースが小さく、かさばらず、コードの断線の心配が少ない電子機器。【選択図】図３
2017103339.tif 000002
【特許請求の範囲】
【請求項１】
電子機器のコードの取り出し部分が凹んでおり、その凹み部が丸みを帯びており、
前記コードが柔軟なコードであることを特徴とするコード付電子機器。
【請求項２】
前記の凹み部の凹みが０．１Ｄ以上であり、前記の凹み部の丸みが、曲げＲ≧０．１Ｄである、請求項１に記載のコード付電子機器。
【請求項３】
前記柔軟なコードの易曲げ性が３以上である、請求項１又は２に記載のコード付電子機器。
【請求項４】
前記導体線が柔軟な芯材の外周及びまたは柔軟な被覆材の内側に捲回されている、請求項１〜３のいずれか一項に記載のコード付電子機器。
【請求項５】
前記導体線が複数本捲回されており、かつ同一方向に並列に捲回されている、請求項１〜４のいずれか一項に記載のコード付電子機器。
【請求項６】
前記コードを構成する導体線が捲回角度３０°以上の螺旋形状を有している、請求項１〜５のいずれか一項に記載のコード付電子機器。
【請求項７】
前記柔軟な芯材または被覆材が、伸縮性のある弾性体からなっており、コードが１．１倍以上伸びることができる、請求項１〜６のいずれか一項に記載のコード付電子機器。
【請求項８】
前記コードの１．２倍伸長時の収縮力が１〜１０００ｃＮである、請求項１〜７のいずれか一項に記載のコード付電子機器。
【請求項９】
電子機器に前記コードの先端プラグ部の収納スペースを有する、請求項１〜８のいずれか一項に記載のコード付電子機器。
【発明の詳細な説明】
【技術分野】
【０００１】
本発明は、コード付電子機器に関するものである。
【０００２】
ここで言う電子機器とは、電力または信号を入出力するためにコードがついている機器を言う。代表的なものを列記すれば、ＡＣアダプター、マウス、外付けＤＶＤプレーヤ等のパソコンやスマホ周辺機器やヘアドライヤーなどの家電や、電動工具等がある。
これらの機器は、持ち運びする時コードが邪魔で、収納に手間取ったり、コード収納容積が大きくなり荷物がかさばったり、いい加減な収納をすると「折れ」や「挟まれ」が発生し、断線したりするという課題があった。
これを解決するために、例えば特許文献１には、コードを巻きつけることができる弾性体で覆った充電装置に関する技術が開示されている。また特許文献２には、携帯電話用ＡＣアダプターとしてコードを巻きつける部位を備え、ケーブルとコネクタを一体として収納する技術が開示されている。しかし、本発明者らの知見によると、特許文献１の技術は、ブーツ部が飛び出しコンパクト収納しにくいという課題があり、特許文献２の技術では、コネクタをケースに収納させるためにコードの長さに余裕が必要となり、ケーブルが収納しずらいという課題があった。また、いずれの場合も使用時にコードが様々な方向に引っ張られ、断線しやすいという課題があった。
これらの技術はコードを簡単に収納できコンパクトなコード付電子機器を望む声には応えきれていない。
近年、スマホやタブレット端末の普及により、様々な電子機器を持ち運ぶ人が増えている。特に、出張者にとっては、コード付電子機器のコードに係るかさばりや、収納スペースや、断線は大きな課題となっている。
【先行技術文献】
【特許文献】
【０００３】
【特許文献１】特開２００３−４０５３３号公報
【特許文献２】実用新案登録第３１４２９７９号公報
【発明の概要】
【発明が解決しようとする課題】
【０００４】
本発明の目的は、コードを簡単に収納できコードの収納スペースが小さく、かさばらず、コードの断線の心配が少ない電子機器を提供することである。
【課題を解決するための手段】
【０００５】
本発明者等は、電子機器のコード取り出し部にへこみを作り、凹みに丸みを持たせ、かつ柔軟なケーブルを使うことでコンパクトなコード付電子機器を得ることに成功したものである。
【０００６】
すなわち、本発明は下記の発明を提供する。
（１）電子機器のコードの取り出し部分が凹んでおり、その凹み部が丸みを帯びており、前記コードが柔軟なコードであることを特徴とするコード付電子機器である。
（２）前記の凹み部の凹みが０．１Ｄ以上であり、前記の凹み部の丸みが、曲げＲ≧０．１Ｄである、（１）に記載のコード付電子機器である。
（３）前記柔軟なコードの易曲げ性が３以上である、（１）又は（２）に記載のコード付電子機器である。
（４）前記導体線が柔軟な芯材の外周及びまたは柔軟な被覆材の内側に捲回されている、（１）〜（３）のいずれか一項に記載のコード付電子機器である。
（５）前記導体線が複数本捲回されており、かつ同一方向に並列に捲回されている、（１）〜（４）のいずれか一項に記載のコード付電子機器である。
（６）前記コードを構成する導体線が捲回角度３０°以上の螺旋形状を有している、（１）〜（５）のいずれか一項に記載のコード付電子機器である。
（７）前記柔軟な芯材または被覆材が、伸縮性のある弾性体からなっており、コードが１．１倍以上伸びることができる、（１）〜（６）のいずれか一項に記載のコード付電子機器である。
（８）前記コードの１．２倍伸長時の収縮力が１〜１０００ｃＮである、（１）〜（７）のいずれか一項に記載のコード付電子機器である。
（９）電子機器に前記コードの先端プラグ部の収納スペースを有する、（１）〜（８）のいずれか一項に記載のコード付電子機器である。
【発明の効果】
【０００７】
本発明のコード付電子機器は、コードを簡単に収納できコードの収納スペースが小さく、かさばらず、コードの断線の心配が非常に小さい電子機器であり、持ち運びをする電子機器に最適である。
【図面の簡単な説明】
【０００８】
【図１】本発明のコード付電子機器の模式図である。
【図２】本発明のコード取り出し口のＲを示した図である。
【図３】コード巻きつけ部の溝とプラグ固定の例を示した図である。
【図４】本発明の鍔部とプラグ収納部にプラグを収納した例を示した図である。
【図５】易曲げ性評価の方法を図示したものである。
【図６】巻きつけ保持性評価装置の図である
【図７】コンパクト性（かさ高性）の測定方法を説明した図である。
【図８】ケーブル取り出し部の屈曲試験の様子を表した図である。
【図９】捲回角度を示した図である。
【発明を実施するための形態】
【０００９】
本発明について、以下具体的に説明する。
本発明でいう電子機器は、コードの取り出し部分を凹ませ、凹み部に丸みを持たせ、柔軟なコードを用いることでコードをコンパクトに収納でき、断線しにくくできることを見出したものである。
【００１０】
コードの取り出し部は、通常コードが鋭角に曲がらないようにブーツ部を作ることが一般的だが、この方法ではコンパクトに収納できない。
一方ただ凹ませただけでは、コードが鋭角に曲り断線しやすい。すなわち、凹ませかつ凹み部に丸みを持たせることが必要である。
凹み部の丸みは、曲げＲを０．１Ｄｍｍ以上が推奨され、好ましくは  曲げＲ≧０．５Ｄ、より好ましくはＲ≧Ｄ、さらに好ましくは２Ｄ以上である。尚、Ｄとはコードの直径（ｄｉａｍｅｔｅｒ）を意味する。
Ｒは大きいほど良いが、電子機器のケースが大きくなりすぎると好ましくないので５Ｄ以下が推奨される。
【００１１】
コードの取り出し部は、凹んでいることが必須である。
凹んで、かつ曲げＲがあれば、コンパクトに収納できる。
凹みの深さは、０．１Ｄ以上、好ましくは０．５Ｄ以上、より好ましくは１Ｄ以上、さらに好ましくは２Ｄ以上である。深く凹んでいる方が曲げRを大きくしやすく好ましいが、電子機器のケースが大きくなりすぎることを防ぐため５Ｄ以下が推奨される。
【００１２】
本発明で用いるコードは、コンセントから受電する側、所謂一次側であっても、変換後の２次側であっても、その両方であってもよい。また、信号をやりとりするコードであってもであってもよい。
本発明で用いるコードは易曲げ指数が３以上であることが推奨される。
３未満の場合、取り出し部を凹ませ、曲げRをつけてもコードが曲がりにくく、コンパクト化しにくくなる。また、無理に曲げると断線しやすくなるので好ましくない。
好ましくは４以上、特に好ましくは５以上である。
【００１３】
易曲げ指数の小さなコードの代表は導体線が細線の集合線からなり、絶縁被覆が柔軟な樹脂で構成され、外部被覆も柔軟な樹脂で被覆されたものがある。
さらに、曲げやすいように、内部に絶縁繊維を配置して、導体線同志が動きやすくしたものも好ましい。
柔軟な芯材の周囲に導体線を捲回し、さらに柔軟な樹脂をその外周に配置したものは、導体線が断線しにくく、好ましい。導体線を螺旋形状に捲回したコードは柔軟な芯材の周囲に導体線を捲回する方法、円柱に螺旋状に捲回した導体線の周囲に柔軟な樹脂を配置し円柱を抜き取ることによる方法等により得ることができる。
【００１４】
導体線は２本以上捲回されているものの実用性が高く好ましい。
螺旋状に捲回されていれば易曲げ指数を満足しやすく、その方向はＳ／ＺでもＳ／Ｓ、Ｚ／Ｚでも良い。好ましくは複数本の導体がすべて同一方向に捲回されているものである。  さらに好ましくは同一方向に捲回されて複数本の導体が並列になっており、相互にかさなることがないものである。特に好ましくは、導体と反対方向に絶縁繊維が導体の内側（芯材側）と外側（外部被覆側）を通って、複数本の導体を拘束しているものである。
導体線はらせん状に捲回されているものが好ましい。
その捲回角度が３０°以上のものが好ましく、より好ましくは４０°以上、さらに好ましくは５０°以上、特に好ましくは６０°以上である。
捲回角度が大きいほど易曲げ指数が小さくなり、かつ断線もしにくくなる。
しかし８０°以上になると導体の距離が長くなりすぎ、コードが重くなるので好ましくない。
【００１５】
柔軟な芯材が伸縮性のある弾性体であるものはさらに好ましい。
伸縮性のある芯材の周囲に導体線を配置することで、コードに伸縮性を付与することができる。より伸縮しやすいものを得るには、芯材を伸長した状態で導体線を捲回し弛緩させる方法が知られている。
１．１倍以上伸びるものは、巻きつけやすく、また、コードを巻きつけた後、プラグ部をコードの下に潜り込ませて止めることができるので特に好ましい。
より好ましくは１．２倍以上伸びるもの、さらに好ましくは１．３倍以上伸びるものである。
【００１６】
コードの１．２倍伸長時の収縮力が１ｃＮ以上１０００ｃＮ以下に設計すると収納状態が維持されやすいので好ましい。より好ましくは１０ｃＮ以上５００ｃＮ以下の収縮力を持つものである。なお収縮力は、長さ１０ｃｍの両端を保持したところから１．２倍に伸長し1分間保持した時の応力を言う。
コードを電子機器の周囲に巻きつけコンパクトに収納できるが、収縮力が大きすぎるとプラグまたはコードを潜り込ませることが難しくなる。一方収縮力が小さいとコードの下でプラグまたはコードを把持する力が弱くなり、巻きつけたコードがほどけやすくなる。
【００１７】
電子機器にコード先端につけたプラグ部を収納する部位が容易されているものは、すっきりと収納でき好ましい。
プラグのオスメスで固定する方法であっても、プラグ形状にあった凹み部を持った構造であってもよい。
いずれの場合も、コードがたるまずに、所定の位置にセットできるようコード長さが調整されていることが好ましい。
コードが伸縮すると所定の位置にプラグをセットしやすく特に好ましい。
【実施例】
【００１８】
以下に、本発明を実施例および比較例に基づき詳細に説明するが、本発明はこれらの実施例にのみ限定されるものではない。
【００１９】
（１）凹み部の曲げＲ
電子機器コード取り出し口の断面形状から求めた。（図１参照）
（２）凹み深さ
電子機器コード取り出し口の断面形状から求めた。（図１参照）
【００２０】
（３）易曲げ性（図５参照）
ケーブルを長さ８０Ｄ以上の長さにカットし、４０Ｄを空中へ突き出した状態で水平な台の上に固定し、１分静置後、空中へ突き出したケーブル先端位置と空中へ突き出した根本の位置から水平線に対する角度(Ｋ)を求め、以下の基準で判定した。
易曲げ性        曲げ角度Ｋ（°）
５            ６０≦  Ｋ  ＜９０
４            ３０≦  Ｋ  ＜６０
３            １０≦  Ｋ  ＜３０
２              ５≦  Ｋ  ＜１０
１                    Ｋ  ＜  ５
【００２１】
（４）易巻きつけ性
１０人にまきつけてもらい、巻き付けまでの時間を計測し、その平均から次のように判定した。
易巻きつけ性        巻きつけ時間ＴＭ（秒）
５                    ＴＭ  ＜５
４              ５≦  ＴＭ  ＜１０
３            １０≦  ＴＭ  ＜２０
２            ２０≦  ＴＭ  ＜３０
１            ３０≦  ＴＭ
【００２２】
（５）巻きつけ保持性(図６参照)
巻きつけたものを巻きつけ保持性評価装置（内径２５０ｍｍ×幅２００ｍｍの段ボール製の円筒の内側に２か所（１８０°対角）３０ｍｍ高さの仕切りを取り付けたものが２本のロール上に乗せられ回転する。）に各々の巻きつけたサンプルを入れ、４０回／分の速度で回転させ、コードがはずれるか否かを観察し、次の基準で判定した。
巻きつけ保持性        コードがはずれるまでの時間ＴＨ（分）
５                    ３０      ≦  ＴＨ
４                    １０      ≦  ＴＨ    ＜３０
３                    ３        ≦  ＴＨ    ＜１０
２                    ０．５    ≦  ＴＨ    ＜３
１                                  ＴＨ    ＜０．５
【００２３】
（６）コンパクト性（図７参照）
ケーブルを取り付けない電子機器の外寸（Ｈ１、Ｌ１、Ｄ１）を測定し、それを掛け合わした値をＶ１ｍｍ３とする。次にプラグ（ＵＳＢマイクロの端子）付の各々のケーブル（１ｍ）を取り付けた電子機器を用意する。プラグ付ケーブルを電子機器に巻きつけ、これがピッタリ収まる箱を準備し、その内寸（Ｈ２，Ｄ２，Ｌ２）を測定しこれらを掛け合わせた値をＶ２ｍｍ３とする。
以下の式でかさ高比を求め、次の判断基準で判定した。
かさ高比  ＶＲ＝Ｖ２／Ｖ１
コンパクト性              かさ高比
５                    ＶＲ＜１．５
４            １．５≦ＶＲ＜２．０
３            ２．０≦ＶＲ＜２．５
２            ２．５≦ＶＲ＜３．０
１            ３．０≦ＶＲ
【００２４】
（７）耐断線性  (図８参照)
屈曲試験機の試験品固定部を＋９０°にした状態で、試験品のコードの取り出し部先端が（ブーツがあるものはブーツ先端）が左右屈曲の中心にくるように取り付け左右屈曲の中心から３０ｃｍ下でケーブルを固定し、左右へ９０°の曲げ（左右それぞれ 1 回と数える。）を繰り返し、電気抵抗値が１０％以上上昇した回数を計測し耐断線性を次の基準で判定した。
耐断線性                断線寿命Ｘ（万回）
５              ３０  ≦Ｘ
４              １０  ≦Ｘ＜３０
３              １    ≦Ｘ＜１０
２              ０．１≦Ｘ＜１
１                      Ｘ＜０．１
【００２５】
（実施例１〜１０、比較例１〜４）
芯材を特殊製紐機（（１）芯材を供給する機構、（２）芯材を、複数のＶ溝を有する２連のロールのＶ溝に８の字掛けに沿わせて把持し伸張するフィード機構、（３）芯材を、複数のＶ溝を有する２連のロールのＶ溝に８の字掛けに沿わせて把持し、巻き取る機構、（４）芯材を伸張した状態で、導体線を芯材に並列に捲回する機構、および（５）芯材を伸張した状態で、導体線の捲回方向と逆方向に導体線の内側と外側を交互に通って絶縁性糸状体を捲回する機構、を備えた製紐機(１６本打ち)）を使用し、
直径２ｍｍのＥＰＭゴム(岡安ゴム(株)社製)を２倍伸長した状態で、塩ビ銅線ＡＷＧ２８（ＵＬ１５７１  住友電工(株)社製）をＺ方向に４本と逆方向にＥＷ１６７ｄｔを８本捲回したのち、伸長状態を維持した状態で、連続して１６本製紐機を用い、ＥＷ３３０ｄｔ２本合わせの絶縁繊維をＳ方向に８本、Ｚ方向に８本配置し、外部被覆をくみ上げ、外径は４ｍｍで、１．２倍伸長時の収縮力が９０ｃＮ（１．３倍伸長時の収縮力は２００ｃＮであった）の伸縮コード(型番ＥＣ２８Ｅ０４)を得た。
同様にして、芯材にＥＰＤＭゴム（外径１．５ｍｍ  岡安ゴム(株)製）を用い、塩ビ銅線ＡＷＧ３２（ＵＬ１５７１  住友電工(株)社製）を用いて外径３ｍｍで、１．３倍伸長時荷重は７０ｃＮの伸縮性コード（型番ＥＣ３２Ｓ０４）を得た。
芯材にＰＶＣ（１ｍｍＩＤ（内径）、２ｍｍＯＤ（外径）、０．５ｗａｌｌ（肉厚））を用い定長下で、塩ビ銅線塩ビ銅線ＡＷＧ２８（ＵＬ１５７１  住友電工(株)社製）をＺ方向に４本と逆方向にＥＷ１６７ｄｔを８本捲回したのち、伸長状態を維持した状態で、連続して１６本製紐機を用い、ＥＷ３３０ｄｔ２本合わせの絶縁繊維をＳ方向に８本、Ｚ方向に８本配置し、外部被覆をくみ上げ、外径４ｍｍで、伸長率  １．０５倍の柔軟コード(型番ＥＣ２８Ｖ０４)を得た。
【００２６】
市販ロボットケーブルＫＲＴ(スリムロボットケーブル  ＡＷＧ２８−４Ｃ)（共和ハーモネット  社製）、および、スマートホン用充電専用ｍｉｃｒｏＵＳＢケーブル（ＭＰＡ−ＡＭＢＣ２Ｕ１２ＢＫ  エレコム社製）を入手した。これらはいずれも１．１倍は伸びないものであった。
これらを用い、コードの片側を４芯の内２芯毎に、ＡＣアダプターの＋側とマイナス側に結線し、ＡＣアダプタケースを取り付けた。この時、ＡＣアダプター内部にコード曲げ部を作りコードの外力が端子部に伝搬しないようした。一方、コードの他端は、ＵＳＢマイクロの端子に取り付けた。
ＡＣアダプターの１次側は、１００Ｖコンセントとつなぐコードが接続できるメス側端子を取り付けた形状とした。
ＡＣアダプターのケース形状は、表に示したように、鍔のないもの、鍔（高さ２ｍｍ）のあるもの、プラグ収納箇所（ＵＳＢマイクロの端子形状に沿った凹み部）を持ったもの、を準備し、表１記載のコード付ＡＣアダプターを得た。
これらを評価した結果を表１に記載した。
【００２７】
比較例１は、ブーツ部がありコードの易曲げ性も悪く、コンパクト性が悪く耐断線性も低いことがわかる。ブーツ部を無くすと（比較例２）コンパクト性が少し良くなるが、耐断線性が悪くなり実用性が低下する。凹み部を作り丸みを持たせても、改善が見られない(比較例３)。しかし、本発明による易曲げ性を持ったコードを用い、コード取り出し部にへこみを持たせたものは（実施例）はコンパクト性と寿命が良くなっていることがわかる。中でも伸縮性のあるコード（１．１倍以上伸び、１．２倍伸長時の収縮力が１〜１０００ｃＮのもの）を用いたものは収納性、コンパクト性、長寿命を兼ね備えていることがわかる（実施例１〜４、７、８、１０，１１）。また、本発明によるケース部に鍔を持ったものは、巻きつけ保持性が良くなり（実施例７、８）、加えて、プラグ収納場所を持ったもの（実施例１０、１１）は、易巻きつけ性、巻きつけ保持性、コンパクト性のいずれも良好であることがわかる。
いずれの場合も、ケーブル取り出し口が凹んでおり、丸みを帯びており、柔軟なコードが用いられており、これら３つの要件がそろって、顕著な効果が得られていることがわかる。
【表１】
2017103339.tif 000003
【産業上の利用可能性】
【００２８】
本発明は、ＡＣアダプター、マウス、外付けＤＶＤプレーヤ等はじめ、パソコンやスマホ周辺機器から、ヘアドライヤーなどの家電や、電動工具等を、持ち運びする際のコードの収納時間短縮や、コード収納容積を小さくし、荷物をかさばらなくでき、かつ、コード収納時の「折れ」、「挟まれ」、「捻じれ」などによる断線を減らすことができる画期的な技術である。
【図１】
2017103339.tif 000004
【図２】
2017103339.tif 000005
【図３】
2017103339.tif 000006
【図４】
2017103339.tif 000007
【図５】
2017103339.tif 000008
【図６】
2017103339.tif 000009
【図７】
2017103339.tif 000010
【図８】
2017103339.tif 000011
【図９】
2017103339.tif 000012